(57)【要約】【課題】生産時の組立性とサービス時のメンテナンス性を向上させることができると共に、シート取付部材及び操縦台取付部材の各左右のボルト固定部のスパンを十分に確保できて、取付強度の確保が図れるバックホーのシート取付装置を提供する。【解決手段】  機体７に固定されたシート取付台３１の上面に、シート８の下面側に設けられたシート取付部材２８の左右両側をボルトによって取付固定し、シート８の側方に配置された操縦台２４Ｌを支持するための操縦台取付部材４３Ｌの下部側の取付壁４５を前記シート取付部材２８の側方に配置すると共に該取付壁４５を左右のボルトによって前記シート取付台３１の上面に取付固定し、シート取付部材２８のボルト固定部４１、又は、操縦台取付部材４３Ｌの取付壁４５のシート取付部材２８側のボルト固定部５１の少なくとも一方を、他方の取付部材の外側縁２８ａ，４５ａよりも該他方の取付部材の左右方向内側に入り込ませる。【選択図】図１
2005213816.tif 000002
【特許請求の範囲】
【請求項１】
機体に固定されたシート取付台の上面に、シートの下面側に設けられたシート取付部材の左右両側をボルトによって取付固定し、シートの側方に配置された操縦台を支持するための操縦台取付部材の下部側の取付壁を前記シート取付部材の側方に配置すると共に該取付壁を左右のボルトによって前記シート取付台の上面に取付固定し、シート取付部材のボルト固定部、又は、操縦台取付部材の取付壁のシート取付部材側のボルト固定部を、他方の取付部材の外側縁よりも該他方の取付部材の左右方向内側に入り込ませたことを特徴とする作業機のシート取付装置。
【請求項２】
シート取付台は左右の側壁と、この左右側壁の上端部同士を連結する上壁とを有し、このシート取付台の上壁下面側の空間の、上部側に小物を収容する小物収容空間を設けると共に、下部側に機器を配置する機器配置空間を設け、前記小物収容空間を形成する小物収容空間形成部材をシート取付台に対して着脱自在としたことを特徴とする請求項１に記載の作業機のシート取付装置。
【請求項３】
小物収容空間形成部材は、シート取付部材及び操縦台取付部材とは別個にシート取付台の上壁下面側に取付固定されていることを特徴とする請求項２に記載の作業機のシート取付装置。
【請求項４】
操縦台に設けられたリストレストを上下位置調整自在としたことを特徴とする請求項１〜３のいずれかに記載の作業機のシート取付装置。
【請求項５】
シート取付台は床面を構成するステップの上に配置され、このステップの下面に機器配置空間に配置されたエアコン装置に空気を導入するダクトを形成するダクト形成部材を固定したことを特徴とする請求項２〜４のいずれかに記載の作業機のシート取付装置。
【発明の詳細な説明】
【技術分野】
【０００１】
本発明は、作業機のシート取付装置に関するものである。
【背景技術】
【０００２】
バックホーにおいて、シートの下部側にシート取付台を溶接等によって一体的に設け、このシート取付台を旋回台上に取付固定するようにしたものがある。
また、このバックホーにあっては、シートの側方に操縦台を設け、この操縦台を支持する操縦台取付部材を前記シート取付台に取付固定している（特許文献１参照）。
【特許文献１】特開２００２−１４９２５５号公報
【発明の開示】
【発明が解決しようとする課題】
【０００３】
前記従来のバックホーにあっては、シート取付台にシートが一体的に設けられているので、シートを取り付けた後に操縦台を取り付けなければならないが、操縦台を取り付ける際にシートが邪魔になって組立性がわるいという問題があると共に、操縦台のサービス時においてもシートが邪魔になってメンテナンス性がわるいという問題がある。
そこで、シート取付台に対して、シートと操縦台とがそれぞれ別個に取り付けられるように、シート取付台の上面に、シートの下面側に設けられたシート取付部材の左右両側をボルトによって取付固定すると共に、操縦台を支持するための操縦台取付部材の下部側の取付壁を前記シート取付部材の側方に配置すると共に該取付壁を左右のボルトによって前記シート取付台の上面に取付固定するように構成することが考えられている。
【０００４】
しかしながら、前記のように構成すると、シート取付台の上壁の左右幅を十分に採れない場合、シート取付部材の左右のボルト固定部のスパン（左右間隔）を十分に採ると操縦台取付部材の取付壁の左右のボルト固定部のスパン（左右間隔）が不十分となり、操縦台取付部材の取付壁の左右のボルト固定部のスパンを十分に採るとシート取付部材の左右のボルト固定部のスパンが不十分となり、中間を採ると両方とも不十分となるという問題が生じる。
そこで、本発明は、前記問題点に鑑みて、生産時（量産時）の組立性とサービス時のメンテナンス性を向上させることができると共に、シート取付部材及び操縦台取付部材の各左右のボルト固定部のスパンを十分に確保できて、取付強度の確保が図れる作業機のシート取付装置を提供することを目的とする。
【課題を解決するための手段】
【０００５】
本発明が前記目的を達成するために講じた技術的手段は、機体に固定されたシート取付台の上面に、シートの下面側に設けられたシート取付部材の左右両側をボルトによって取付固定し、シートの側方に配置された操縦台を支持するための操縦台取付部材の下部側の取付壁を前記シート取付部材の側方に配置すると共に該取付壁を左右のボルトによって前記シート取付台の上面に取付固定し、シート取付部材のボルト固定部、又は、操縦台取付部材の取付壁のシート取付部材側のボルト固定部を、他方の取付部材の外側縁よりも該他方の取付部材の左右方向内側に入り込ませたことを特徴とする。
【０００６】
この構成により、シートと操縦台とがシート取付台に対してそれぞれ個々に取り付けられているので、生産時の組立性とサービス時のメンテナンス性を向上させることができると共に、シート取付部材及び操縦台取付部材の各左右のボルト固定部のスパンを十分に確保でき、取付強度の確保が図れる。
また、シート取付台は左右の側壁と、この左右側壁の上端部同士を連結する上壁とを有し、このシート取付台の上壁下面側の空間の、上部側に小物を収容する小物収容空間を設けると共に、下部側にヒータ等の機器を配置する機器配置空間を設け、前記小物収容空間を形成する小物収容空間形成部材をシート取付台に対して着脱自在とするのがよい。
【０００７】
これにより、シート取付台の上壁下面側の空間の有効利用が図れると共に、小物収容空間形成部材を取り外した状態とすることにより、機器配置空間に配置される機器の着脱、メンテナンス等の容易化を図ることができる。
また、小物収容空間形成部材は、シート取付部材及び操縦台取付部材とは別個にシート取付台の上壁下面側に取付固定されているのがよい。
これにより、メンテナンス性の向上が図れる。
また、操縦台に設けられたリストレストを上下位置調整自在とするのがよい。
【０００８】
これにより、オペレータの体格や作業姿勢に対応して、リストレストの高さを良好な位置にすることができる。
また、シート取付台は床面を構成するステップの上に配置され、このステップの下面に機器配置空間に配置されたエアコン装置に空気を導入するダクトを形成するダクト形成部材を固定するのがよい。
このダクト形成部材によってステップを補強でき、該ダクト形成部材をステップの補強部材として利用できると共にステップをダクトを構成する壁部として利用でき、コストダウンを図ることができる。
【発明の効果】
【０００９】
本発明によれば、シートと操縦台とがシート取付台に対してそれぞれ個々に取り付けられているので、生産時の組立性とサービス時のメンテナンス性を向上させることができると共に、シート取付部材及び操縦台取付部材の各左右のボルト固定部のスパンを十分に確保できて、取付強度の確保が図れる。
【発明を実施するための最良の形態】
【００１０】
以下、本発明の実施の形態を図面を参照して説明する。
図３〜図５において、１は作業機として例示するバックホーであり、このバックホー１は、下部の走行体２と、この走行体２上に上下方向の旋回軸心Ｘ回りに旋回自在（回動自在）に搭載された上部の旋回体３と、この旋回体３に設けられた作業装置４とを有する。
走行体２は、左右一対のクローラベルト５を油圧モータによって循環回走させることで走行するクローラ式走行装置によって構成され、前部にドーザ６を備えている。
旋回体３は、走行体２に旋回自在に支持された旋回台（機体）７と、この旋回台７上に設けられたシート（運転席）８と、旋回台７に搭載されたエンジン，ラジエータ，燃料タンク，作動油タンク等の各種機器及びこれらを覆うボンネット９と、運転室を形成するキャビン１０とを有する。
【００１１】
旋回台７は、走行体２のフレームに旋回ベアリング１１を介して左右に旋回自在に支持され且つ旋回モータによって旋回駆動される旋回基板１２上に補強リブ、ブラケット等を溶接等によって固定してなる旋回フレームを有し、この旋回フレームの後部に作業装置４との重量バランスを図るウエイト１３を備えており、旋回フレームの左右両側面及び前面側をカバー部材によって覆っている。
また、旋回フレームの後部にはエンジン、ラジエータ等が搭載されていて、これらはボンネット９の主ボンネット部分１４によって覆われ、旋回フレームの右側側部には、燃料タンク，ラジエータ等が搭載されていて、これらはボンネット９の主ボンネット部分１４の右側部から前方に延びる側部ボンネット部分１５によって覆われている。
【００１２】
なお、ボンネット９の主ボンネット部分１４及び側部ボンネット部分１５は、内部を点検等するための開閉カバーを有する。
また、旋回フレームの上面側のボンネット９が設けられていない部分には、旋回台７の上面（床面）を構成するステップが設けられている。
旋回台７の前部には、上下一対の支持ブラケット１６が前方突出状で且つ旋回台７の左右方向中央部から右側（左右一側）にオフセットされて設けられ、この支持ブラケット１６にスイングブラケット１７の後部側が上下方向の軸心廻りに左右揺動自在に支持されている。
【００１３】
作業装置４は、スイングブラケット１７の上部に左右方向の軸心廻りに揺動自在に枢支連結されたブーム１８と、このブーム１８の先端側に左右方向の軸心回りに揺動自在に枢支連結されたアーム１９と、このアーム１９の先端側に左右方向の軸心回りに揺動自在に枢支連結されたバケット２０とを有する。
前記スイングブラケット，ブーム１８，アーム１９，バケット２０は、それぞれ油圧シリンダからなるスイングシリンダ、ブームシリンダ２１、アームシリンダ２２、バケットシリンダ２３によって揺動動作される。
【００１４】
また、作業装置４のアーム１９先端側又は旋回台７前面等には、バックホー１に別途取り付けられて使用される油圧アクチュエータを作動させるための外部油圧取出部が設けられている。
前記シート８は旋回台の前後方向中途部の側部ボンネット部分１５の左側方で且つ旋回台７の左右方向中央部から左側寄りに配置され、該シート８の左右両側には、操縦台２４Ｌ，２４Ｒが配置されている。
また、シート８の前方には、左右のクローラベルト５を別個に循環回走させるように走行体２の油圧モータを操作する左右一対の走行レバー２５が配置され、この左右走行レバー２５の右側には、スイングブラケット１７を揺動操作するスイングペダル２６が配置され、左右走行レバー２５の左側には、前記外部油圧取出部に接続される油圧アクチュエータを操作するＳＰペダル２７が配置されている。
【００１５】
また、左右の各操縦台２４Ｌ，２４Ｒには操作レバー３０Ｌ，３０Ｒが設けられ、例えば、右側の操縦台２４Ｒの操作レバー３０Ｒはブームシリンダ２１及びバケットシリンダ２３を操作可能とされ、左側の操縦台２４Ｌの操作レバー３０Ｌは旋回モータ及びアームシリンダ２２を操作可能とされている。
図１、図２、図６〜図９に示すように、シート８は、本実施の形態では、平板状のシート取付部材２８の上面にサスペンション装置２９をボルト等によって取付固定すると共に、このサスペンション装置２９上に座部及び背もたれ部を有するシート本体８Ａをスライド機構を介して前後位置調整自在に取り付けてなる。
【００１６】
なお、シート８は、シート本体８Ａとシート取付部材２８とを備えていればよい。
前記シート取付部材２８はシート取付台３１上に載置されてボルトによって着脱自在に取付固定されている。
シート取付台３１は、左右の側壁３１ａと、この左右側壁３１ａの上端同士を連結する上壁３１ｂとを備え、左右側壁３１ａの下端側には左右方向外方に折曲されてなる取付片３２を備え、該取付片３２が旋回台７上面のステップ６７上に載置されてボルト等によって取付固定されている。
【００１７】
また、シート取付台３１の後部側上部には、該シート取付台３１の左右側壁３１ａ及び上壁３１ｂに連結された板材からなる背面部材３１ｃが設けられている。
なお、シート取付台３１の前面はカバー部材４４によって覆われており、該カバー部材４４は下端側がヒンジによって旋回台７上面のステップ６７に前後揺動自在に連結されることにより、開閉自在とされている。
シート取付台３１の上壁３１ｂ下面側（上壁３１ｂ下方）空間の、上部側は取扱説明書等の小物を収容可能な小物収容空間３３とされ、下部側（小物収容空間３３の下方側）はヒータ（又はエアコン装置、バッテリー）等の機器を収容可能な機器配置空間３４とされている。
【００１８】
小物収容空間３３は小物配置空間形成部材３５によって形成され、この小物配置空間形成部材３５は左右一対の底部形成部材３６と、この左右底部形成部材３６を下から支える受部材３７とを備えている。
左右の各底部形成部材３６は、棒材を平面視後方開放状のコ字形に折曲されて形成されており、シート取付台３１の上壁３１ｂ下方側に所定間隔をおいて配置されると共に後端部が前記背面部材３１ｃに溶接等によって固定されている。
受部材３７は板材によって形成されており、左右の底部形成部材３６の前後方向中途部下面側に配置されると共に左右の底部形成部材３６に亘って設けられて各底部形成部材３６に溶接等によって固定され、該受部材３７の左側端部はシート取付部材２８の左側の側壁３１ａに溶接等によって連結固定され、受部材３７の右側端部は上方に向けて延出するように折曲されると共に、シート取付台３１の上壁３１ｂ下面に溶接等によって転結固定されている。
【００１９】
前記シート取付部材２８は、シート取付台３１の上壁３１ｂ上面の左右方向中途部に配置され、その左右両側部分の前後部にはボルト挿通孔３８が形成されており、シート取付台３１の上壁３１ｂには、このボルト挿通孔３８に連通するボルト挿通孔３９が形成されていると共に該上壁３１ｂ下面側には該ボルト挿通孔３９に対応するナット４０が溶接等によって固定され、前記各ボルト挿通孔３８，３９を上方から挿通して前記ナット４０に螺合されるボルトによってシート取付部材２８の左右両側がシート取付台３１の上壁３１ｂに取付固定されている。
【００２０】
また、シート取付部材２８の左右両側部分の、前後のボルト固定部４１（ボルト挿通孔３８が形成される部分）間には、左右方向端部の側縁２８ａよりも左右方向内方（シート取付部材２８の左右方向中央側）に凹設状とされた切欠き凹部４２Ａが形成されている。
また、シート取付部材２８の前縁は、シート取付台３１の上壁３１ｂ前縁よりも後方に位置していると共に、シート取付部材２８の前縁の左右両側は後方に向かうに従って左右方向外方に移行する傾斜状に切り欠かれて形成された切欠き部４２Ｂが形成されている。
シート取付部材２８の左右両側方には、操縦台２４Ｌ，２４Ｒを取付支持するための操縦台取付部材４３Ｌ，４３Ｒが配置されている。
【００２１】
この操縦台取付部材４３Ｌ，４３Ｒは、シート取付台３１の上壁３１ｂ上面に重合されて該上壁３１ｂにボルト固定される取付壁４５と、この取付壁４５の左右方向一側端部から上方に立上がる支持壁４６とを有し、この支持壁４６に、図７〜図９に示す操縦台２４Ｌ，２４Ｒのフレーム４７Ｌ，４７Ｒが取り付けられている。
なお、右側の操縦台取付部材４３Ｒの支持壁４６は取付壁４５の右側端部から立上がり、左側の操縦台取付部材４３Ｌの支持壁４６は取付壁４５の左側端部から立上がっている。
【００２２】
また、左右の各操縦台取付部材４３Ｌ，４３Ｒの取付壁４５の左右両側部分の前後部には、ボルト挿通孔４８が形成されており、シート取付台３１の上壁３１ｂには、このボルト挿通孔４８に連通するボルト挿通孔４９が形成されていると共に該上壁３１ｂ下面側には該ボルト挿通孔４９に対応するナット５０が溶接等によって固定され、前記各ボルト挿通孔４８，４９を上方から挿通して前記ナット５０に螺合されるボルトによって該取付壁４５の左右両側がシート取付台３１の上壁３１ｂに取付固定されている。
また、特に、左側の操縦台取付部材４３Ｌの取付壁４５の右側（シート取付部材２８側）の、前後のボルト固定部５１（ボルト挿通孔４８が形成される部分）は、該取付壁４５右端部の側縁４５ａよりも左右方向外方（右方）に突出状とされている。
【００２３】
そして、左側の操縦台取付部材４３Ｌの取付壁４５は、その右側部分の前後のボルト固定部５１が、シート取付部材２８の左側縁２８ａよりも該シート取付部材２８の左右方向内側に入り込むように配置されて固定されている。
すなわち、左側の操縦台取付部材４３Ｌの取付壁４５の右側部分の前側のボルト固定部５１が、シート取付部材２８の左側部分の前側のボルト固定部４１の前側に位置し、且つ、左側の操縦台取付部材の取付壁４５の右側部分の後側のボルト固定部５１が、シート取付部材２８の切欠き凹部４２内に入り込んで該シート取付部材２８の左側部分の前後のボルト固定部４１間に位置するように配置されている。
【００２４】
これによって、左右幅に制約があるシート取付台３１であっても、シート取付部材２８の左右のボルト固定部４１のスパン（左右のボルト挿通孔３８の中心間の距離）Ｌ１及び操縦台取付部材４３Ｌの左右のボルト固定部５１のスパン（左右のボルト挿通孔４８の中心間の距離）Ｌ２が十分に確保できるように構成されている。
また、換言すると、左側の操縦台取付部材４３Ｌの取付壁４５の右側部分に、該右側部分の前後のボルト固定部５１以外の部分に、該取付壁４５の右端部の側縁よりも左右方向内方（取付壁４５の左右方向中央側）に凹設状とされた切欠き凹部５２が形成されると共に、シート取付部材２８の左側部分の前後のボルト固定部４１が左側の側縁よりも左右方向外方に突出状に形成されていて、シート取付部材２８の左側部分の前後のボルト固定部４１が、左側の操縦台取付部材４３Ｌの取付壁４５の右側縁よりも該取付壁４５の左右方向内側に入り込むように配置されて固定されているともいえる。
【００２５】
さらに、換言すると、シート取付部材２８の側部及び左側の操縦台取付部材４３Ｌの取付壁４５の右側部分に、それぞれの縁部から左右方向中央側に向けて凹設された切欠き凹部が形成され、シート取付部材２８又は操縦台取付部材４３Ｌの内の、一方の取付部材のボルト固定部が他方の取付部材の切欠き凹部内に入り込むように構成されているともいえる。
なお、右側の操縦台取付部材４３Ｒの取付壁４５も左側の操縦台取付部材４３Ｌの取付壁４５と略同様に形成し、該左側の操縦台取付部材４３Ｌの取付壁４５と略同様に取り付けられるように構成してもよい。
【００２６】
前記左右の各操縦台２４Ｌ，２４Ｒには、操作レバー３０Ｌ，３０Ｒを操作する際においてオペレータの手腕又は手首等を載せて支えるためのリストレスト５４が設けられている。
このリストレスト５４は、図１０及び図１１示すように、各操縦台２４Ｌ，２４Ｒのフレーム４７Ｌ，４７Ｒに設けられた取付部材５５，５６にボルト等によって取付固定されステー５４Ａと、このステー５４Ａに取り付けられた載置部材５４Ｂとから構成されている。
【００２７】
図１０に示すように、左側のリストレスト５４のステー５４Ａの取付部材５５への被取付部分には、ボルト挿通孔５７が１つ形成されると共に該被取付部分の後面側には該ボルト挿通孔５７に対応する位置にナット５８が溶接等によって固定され、一方、取付部材５５のリストレスト５４の取付部分には、ボルト挿通孔５９が上下方向に複数（図例では３つ）形成されている。
なお、前記各ボルト挿通孔５７，５９は左右一対形成されている。
そして、ステー５４Ａのボルト挿通孔５７を取付部材５５のボルト挿通孔５９のいずれかに選択的に一致させると共に、これらボルト挿通孔５７，５９にボルト６０を挿通し該ボルト６０をナット５７に螺合させることにより、リストレスト５４（の載置部材５４Ｂ）が高さ調整自在に取り付けられている。
【００２８】
また、図１１に示すように、右側のリストレスト５４のステー５４Ａの取付部材５６への被取付部分には、ボルト挿通孔６１が上下方向に複数（図例では３つ）形成され、一方、取付部材５６のリストレスト５４の取付部分にはネジ孔６２が１つ形成されており、リストレスト５４のボルト挿通孔６１のいずれかにボルト６３を挿通すると共に該ボルト６３を取付部材５６のネジ孔６２に螺合させることにより、リストレスト５４（の載置部材５４Ｂ）が高さ調整自在に取り付けられている。
このように、リストレスト５４の高さ調整を可能とすることにより、オペレータの体格や作業姿勢に対応して、載置部材５４Ｂの高さを良好な位置にすることができる。
【００２９】
前記実施の形態において、小物収容空間形成部材３５はシート取付台３１に対して着脱不能に設けられているが、小物収容空間形成部材３５がシート取付台３１に対して着脱不能であると、機器配置空間３４が制限され、機器配置空間３４に配置される機器の着脱、メンテナンス等をするに際して小物収容空間形成部材３５の制約を受ける。
そこで、図１２及び図１３に示すように、小物収容空間形成部材３５をシート取付台３１に対して着脱可能に設け、小物収容空間形成部材３５を取り外した状態とすることにより、機器配置空間３４に配置される機器のメンテナンススペース、着脱スペースを十分に確保できる。
【００３０】
図１２及び図１３において、小物収容空間形成部材３５は、底壁６４ａと、該底壁６４ａの左右側縁から上方に延びる左右の側壁６４ｂと、底壁６４ａの後端側縁部から上方に延びる背面壁６４ｃとを有する本体部６４を備え、この本体部６４の左右の側壁６４ｂ前部側は連結部材６５によって連結されている。
また、連結部材６５の下面側に左右一対のナット６６が溶接等によって固定されていると共に本体部６４の背面壁６４ｃの前面側にもナット６６が溶接等によって固定され、シート取付台３１の上壁３１ｂを上方から貫通して前記ナット６６に螺合されるボルト及びシート取付台３１の背面部材３１ｃを後方から貫通して前記ナット６６に螺合されるボルトによって、小物収容空間形成部材３５がシート取付台３１に着脱自在で且つシート取付部材２８及び操縦台取付部材４３Ｌ，３４Ｒとは別個に取付固定されている。
【００３１】
図１４〜図１７は、ステップ６７のシート８を取り付ける部分の下面に、機器配置空間３４に配置されたエアコン装置５３に空気（外気）を導入するダクト７９を形成するダクト形成部材６８を固定することにより、このダクト形成部材６８をステップ６７の補強部材として利用すると共にステップ６７をダクトを構成する壁部として利用することを企図した例を示すものである。
旋回台７の上面を構成するステップ６７は、前後のステップ構成体６９，７０に分割されると共に、この前後のステップ構成体６９，７０はさらに複数に分割されている。
【００３２】
後部のステップ構成体７０は、本実施形態では、３つの部材７０ａ，７０ｂ，７０ｃで構成されており、この後ステップ構成体７０上にシート取付部材２８がボルト固定されている。
ダクト形成部材６８は、後部部分７１Ａと側部部分７１Ｂとから平面視Ｌ字形に形成されると共に後ステップ構成体７０の下面に溶接等によって固定された本体部７１を備えており、この本体部７１の後部部分７１Ａは、底壁７３と前後壁７４，７５とから断面上方開放状のコ字形に形成され、側部部分７１Ｂは底壁７６と左右側壁７７とから断面上方開放状のコ字形に形成され、後部部分７１Ａの右端側と側部部分７１Ｂの後端側とは溶接等によって接続されて連通され、後部部分７１Ａ及び側部部分７１Ｂの上面開口は後ステップ構成体７０によって塞がれ、後部部分７１Ａの左端側開口及び側部部分７１Ｂの前端側開口は閉塞壁７８によって閉塞されており、ダクト形成部材６８と後ステップ構成体７０とによって、機器配置空間３４に配置されたエアコン装置５３に空気（外気）を導入するダクト７９が形成されている。
【００３３】
後ステップ構成体７０の後部側左右方向中途部には、エアコン装置５３の外気取入れ口と、ダクト形成部材６８及び後ステップ構成体７０とで形成されるダクト７９とを連通させるための空気流通孔８０が形成されており、この空気流通孔８０は、ダクト形成部材本体部７１の後部部分７１Ａの左端部側に対応する位置に設けられている。
また、後ステップ構成体７０の右側前部には、空気流通管８１が後ステップ構成体７０を貫通して立設されており、この空気流通管８１はダクト形成部材６８本体部の側部部分７１Ｂの前端側に位置していて、ダクト７９に連通している。
【００３４】
また、この空気流通管８１の上端側は、キャビン１０の右側壁内面側に配置された外気取入れボックス８２にホース８３及び継手８４等を介して連通されており、この外気取入れボックス８２はキャビン１０の右側壁に形成された外気取入れ口に連通している。
したがって、キャビン１０室外の空気（外気）が、キャビン１０右側壁の外気取入れ口、外気取入れボックス８２、ホース８３、空気流通管８１、ダクト、空気流通孔８０等を経てエアコン装置５３に取り入れられるように構成されている。
【図面の簡単な説明】
【００３５】
【図１】シート取付部材及び操縦台取付部材の取付部分の平面図である。
【図２】シート取付部材及び操縦台取付部材の取付部分の正面断面図である。
【図３】バックホーの側面図である。
【図４】旋回体の正面図である。
【図５】旋回体の側面図である。
【図６】シート取付装置の正面図である。
【図７】シート取付装置の平面図である。
【図８】シート取付装置の右側面図である。
【図９】右側操縦台フレームの側面図である。
【図１０】リストレストの上下調整構造を示す側面断面図である。
【図１１】リストレストの上下調整構造を示す側面断面図である。
【図１２】他の実施の形態に係るシート取付装置の正面図である。
【図１３】他の実施の形態に係るシート取付装置の平面図である。
【図１４】他の実施の形態に係るシート取付部分の正面図である。
【図１５】他の実施の形態に係るシート取付部分の平面図である。
【図１６】ダクト形成部材等の平面図である。
【図１７】図１５のＡ−Ａ線矢示断面図である。
【符号の説明】
【００３６】
７    旋回台（機体）
８    シート
２４Ｌ  操縦台
２４Ｒ  操縦台
２８    シート取付部材
３１    シート取付台
４１    ボルト固定部
３１ａ  側壁
３１ｂ  上壁
３３    小物収容空間
３４    機器配置空間
３５    小物収容空間形成部材
４３Ｌ  操縦台取付部材
４３Ｒ  操縦台取付部材
４５    取付壁
５１    ボルト固定部
５３    エアコン装置
５４    リストレスト
６７    ステップ
６８    ダクト形成部材
７９    ダクト
【図１】
2005213816.tif 000003
【図２】
2005213816.tif 000004
【図３】
2005213816.tif 000005
【図４】
2005213816.tif 000006
【図５】
2005213816.tif 000007
【図６】
2005213816.tif 000008
【図７】
2005213816.tif 000009
【図８】
2005213816.tif 000010
【図９】
2005213816.tif 000011
【図１０】
2005213816.tif 000012
【図１１】
2005213816.tif 000013
【図１２】
2005213816.tif 000014
【図１３】
2005213816.tif 000015
【図１４】
2005213816.tif 000016
【図１５】
2005213816.tif 000017
【図１６】
2005213816.tif 000018
【図１７】
2005213816.tif 000019